(57)【要約】【課題】ユーザーインターフェイスの周囲の照度を正しく計測可能な折り畳み式電子機器の照度検出方法、折り畳み式電子機器及びプログラムを提供する。【解決手段】本発明の折り畳み式電子機器の照度検出方法は、閉状態における内側のユーザーインターフェイスを備える折り畳み式電子機器の開操作を検出する第１のステップと、前記開操作の検出時に外側の照度を計測する第２のステップと、を含むことを特徴とする。【選択図】図１
2010171617.tif 000002
【特許請求の範囲】
【請求項１】
閉状態における内側のユーザーインターフェイスを備える折り畳み式電子機器の開操作を検出する第１のステップと、前記開操作の検出時に外側の照度を計測する第２のステップと、を含むことを特徴とする折り畳み式電子機器の照度検出方法。
【請求項２】
前記第２のステップで計測した照度に基づいて前記ユーザーインターフェイスのバックライトを制御する第３のステップと、を含むことを特徴とする請求項１記載の折り畳み式電子機器の照度検出方法。
【請求項３】
前記折り畳み式電子機器は、前記ユーザーインターフェイスを備える第１の筺体と、前記ユーザーインターフェイスを覆うように前記第１の筺体と開閉自在に係合した第２の筺体と、からなることを特徴とする請求項１又は２記載の折り畳み式電子機器の照度検出方法。
【請求項４】
前記第２の筺体の閉状態の外面に照度センサーを配置したことを特徴とする請求項３記載の折り畳み式電子機器の照度検出方法。
【請求項５】
前記第１のステップは、前記折り畳み式電子機器を閉状態から開状態にするオープンアシストボタンの押下操作を折り畳み式電子機器の開操作として検出することを特徴とする請求項１から４の何れかの請求項記載の折り畳み式電子機器の照度検出方法。
【請求項６】
前記第１のステップは、前記折り畳み式電子機器の閉状態から開状態への初期変移を検出する磁気的、機械的又は光学的なセンサーにより折り畳み式電子機器の開操作を検出することを特徴とする請求項１から４の何れかの請求項記載の折り畳み式電子機器の照度検出方法。
【請求項７】
前記第１の筺体は、前記ユーザーインターフェイスとしてのキー操作部を備えることを特徴とする請求項３から６の何れかの請求項記載の折り畳み式電子機器の照度検出方法。
【請求項８】
前記第２の筺体は、前記ユーザーインターフェイスとしての表示部を備えることを特徴とする請求項３から７の何れかの請求項記載の折り畳み式電子機器の照度検出方法。
【請求項９】
前記折り畳み式電子機器は携帯電話端末であることを特徴とする請求項１から８の何れかの請求項記載の折り畳み式電子機器の照度検出方法。
【請求項１０】
閉状態における内側のユーザーインターフェイスを備える折り畳み式電子機器の開操作を検出する操作検出手段と、前記開操作の検出時に外側の照度を計測する照度計測手段と、を備えることを特徴とする折り畳み式電子機器。
【請求項１１】
計測した照度に基づいて前記ユーザーインターフェイスのバックライトを制御する制御手段を備えることを特徴とする請求項１０記載の折り畳み式電子機器。
【請求項１２】
前記ユーザーインターフェイスを備える第１の筺体と、前記ユーザーインターフェイスを覆うように前記第１の筺体と開閉自在に係合した第２の筺体と、からなることを特徴とする請求項１０又は１１記載の折り畳み式電子機器。
【請求項１３】
前記第２の筺体の閉状態の外面に照度センサーを配置したことを特徴とする請求項１２記載の折り畳み式電子機器。
【請求項１４】
前記操作検出手段は、前記折り畳み式電子機器を閉状態から開状態にするオープンアシストボタンの押下操作を折り畳み式電子機器の開操作として検出することを特徴とする請求項１０から１３の何れかの請求項記載の折り畳み式電子機器。
【請求項１５】
前記操作検出手段は、前記折り畳み式電子機器の閉状態から開状態への初期変移を検出する磁気的、機械的又は光学的なセンサーにより折り畳み式電子機器の開操作を検出することを特徴とする請求項１０から１３の何れかの請求項記載の折り畳み式電子機器。
【請求項１６】
前記第１の筺体は、前記ユーザーインターフェイスとしてのキー操作部を備えることを特徴とする請求項１２から１５の何れかの請求項記載の折り畳み式電子機器。
【請求項１７】
前記第２の筺体は、前記ユーザーインターフェイスとしての表示部を備えることを特徴とする請求項１２から１６の何れかの請求項記載の折り畳み式電子機器。
【請求項１８】
携帯電話端末であることを特徴とする請求項１０から１７の何れかの請求項記載の折り畳み式電子機器。
【請求項１９】
閉状態における内側のユーザーインターフェイス備える折り畳み式電子機器の開操作を検出する第１のステップと、前記開操作の検出時に外側の照度を計測する第２のステップと、をコンピュータに実行させることを特徴とする折り畳み式電子機器のプログラム。
【請求項２０】
前記第２のステップで計測した照度に基づいて前記ユーザーインターフェイスのバックライトを制御する第３のステップと、を含むことを特徴とする請求項１９記載のプログラム。
【請求項２１】
前記折り畳み式電子機器は、前記ユーザーインターフェイスを備える第１の筺体と、前記ユーザーインターフェイスを覆うように前記第１の筺体と開閉自在に係合した第２の筺体と、からなることを特徴とする請求項１９又は２０記載のプログラム。
【請求項２２】
前記第２の筺体の閉状態の外面に照度センサーを配置したことを特徴とする請求項２１記載のプログラム。
【請求項２３】
前記第１のステップは、前記折り畳み式電子機器を閉状態から開状態にするオープンアシストボタンの押下操作を折り畳み式電子機器の開操作として検出することを特徴とする請求項１９から２２の何れかの請求項記載の折り畳み式電子機器の照度検出方法。
【請求項２４】
前記第１のステップは、前記折り畳み式電子機器の閉状態から開状態への初期変移を検出する磁気的、機械的又は光学的なセンサーにより折り畳み式電子機器の開操作を検出することを特徴とする請求項１９から２２の何れかの請求項記載のプログラム。
【請求項２５】
前記第１の筺体は、前記ユーザーインターフェイスとしてのキー操作部を備え、前記第２の筺体は、前記ユーザーインターフェイスとしての表示部を備えることを特徴とする請求項２１から２４の何れかの請求項記載のプログラム。
【発明の詳細な説明】
【技術分野】
【０００１】
本発明は電子機器の周囲照度の検出に関し、特に、折り畳み式電子機器の照度検出方法、折り畳み式電子機器及びプログラムに関する。
【背景技術】
【０００２】
携帯端末のユーザーインターフェイスとなるキーパッド部分等には、暗いところでもユーザーがキー位置を判別出来るように、キー等を照らすバックライトが搭載されているが、このバックライトは本来明るい使用環境では点灯させる必要がないだけでなく、点灯させると無駄な電力を消費することとなる。
【０００３】
このため、携帯端末に照度センサー（光センサー）を搭載し、該照度センサーによりユーザーの使用環境の照度を検出してバックライトが不要なときには消灯もしくは輝度を低くして電力消費を抑制する方法が採用される。
【０００４】
図１２は本発明の関連技術の折り畳み式電子機器の外観を示す図である。同図に示すように、折り畳み式携帯端末においては、バックライトの制御のための照度センサーを折り畳み式筺体を開いた内側に配置するのが一般的である（特許文献１参照）。
【先行技術文献】
【特許文献】
【０００５】
【特許文献１】特開２００８−２６３２７１号公報
【発明の概要】
【発明が解決しようとする課題】
【０００６】
前述のように折り畳み式携帯端末においては、図１２に示すようにバックライトの制御のための照度センサーを折り畳み式携帯端末のユーザーインターフェイスの近くの配置することにより、携帯端末の使用状態でユーザーが必要とするバックライトの点灯／非点灯もしくは輝度の是非を判別するためのユーザーインターフェイスの周囲の照度を測定するようにしている。
【０００７】
しかし、昨今の携帯端末は集積化、精密化、デザイン性のニーズ等により、照度センサーを最適な位置に設置することが容易では無くなって来ている。
【０００８】
そこで、照度センサーを図１３に示すように携帯端末の筺体の背面など、折り畳み式携帯端末のユーザーインターフェイスとは離れた位置に配置することが考えられるが、このような位置に照度センサーを配置したのでは、折り畳み式携帯端末を開いて使用する際、図１４に示すように照度センサーは陰の位置となりユーザーインターフェイスの周辺の照度を正確に測定することができない。
【０００９】
（目的）
本発明は、以上のような事情を踏まえてなされたものであり、ユーザーインターフェイスの周囲の照度を正しく計測可能な折り畳み式電子機器の照度検出方法、折り畳み式電子機器及びプログラムを提供することを目的とするものである。
【課題を解決するための手段】
【００１０】
本発明の第1の折り畳み式電子機器の照度検出方法は、閉状態における内側のユーザーインターフェイスを備える折り畳み式電子機器の開操作を検出する第１のステップと、前記開操作の検出時に外側の照度を計測する第２のステップと、を含むことを特徴とする。
【００１１】
本発明の第1の折り畳み式電子機器は、閉状態における内側のユーザーインターフェイスを備える折り畳み式電子機器の開操作を検出する操作検出手段と、前記開操作の検出時に外側の照度を計測する照度計測手段と、を備えることを特徴とする。
【００１２】
本発明の第1の折り畳み式電子機器のプログラムは、閉状態における内側のユーザーインターフェイスを備える折り畳み式電子機器の開操作を検出する第１のステップと、前記開操作の検出時に外側の照度を計測する第２のステップと、をコンピュータに実行させることを特徴とする。
【発明の効果】
【００１３】
本発明によれば、折り畳み式電子機器を開く前又は開く過程の状態でユーザーインターフェイス側の照度を計測できるから、開いた状態で下向き等となる位置に照度センサーを配置しても、ユーザーインターフェイスの周囲の照度を正確に計測することが可能である。
【図面の簡単な説明】
【００１４】
【図１】図１は本発明の第１の実施形態を示す図であり、（ａ）は折り畳み式電子機器の照度検出方法、（ｂ）は折り畳み式電子機器である。
【図２】図２は本発明の第２の実施形態の開状態の折り畳み式携帯端末の外観を示す図である。
【図３】図３は本発明の第２の実施形態の閉状態の折り畳み式携帯端末の外観を示す図である。
【図４】図４は第２の実施形態のバックライトの制御装置の構成を示す図である。
【図５】図５は第２の実施形態の動作の処理フローチャートを示す図である。
【図６】図６は本発明の第３の実施形態の折り畳み式携帯端末の構成例を示す図である。
【図７】図７は上下筺体の閉状態から開状態への初期変移の検出センサーとして距離センサーを使用した例である。
【図８】図８は上下筺体の閉状態から開状態への初期変移の検出センサーとして機械的なセンサーを使用した例である。
【図９】図９は上下筺体の閉状態から開状態への初期変移の検出センサーとして機械的な角度センサーを使用した例である。
【図１０】図１０は上下筺体の閉状態から開状態への初期変移の検出センサーとして光学的なセンサーを使用した例である。
【図１１】図１１は本発明の折り畳み式電子機器の処理をプログラムにより実行する他の実施形態を示す図である。
【図１２】図１２は本発明の関連技術の折り畳み式電子機器の構成例を示す図である。
【図１３】図１３は他の折り畳み式電子機器の閉状態の例を示す図である。
【図１４】図１４は他の折り畳み式電子機器の開状態の例を示す図である。
【発明を実施するための形態】
【００１５】
本発明の折り畳み式電子機器の照度検出方法、折り畳み式電子機器及びプログラムの実施形態について以下説明する。
【００１６】
（第１の実施形態）
図１は本発明の第１の実施形態を示す図であり、（ａ）は折り畳み式電子機器の照度検出方法、（ｂ）は折り畳み式電子機器である。
【００１７】
本発明の第１の実施形態の折り畳み式電子機器の照度検出方法は、図１（ａ）に示すように、閉状態における内側のユーザーインターフェイスを備える折り畳み式電子機器に関し、該電子機器の開操作を検出する第１のステップ（ｓ１）と、前記開操作の検出時に外側の照度を計測する第２のステップ（ｓ２）と、を含む。
【００１８】
本発明の第１の実施形態の折り畳み式電子機器は、図１（ｂ）に示すように、閉状態における内側のユーザーインターフェイスを備える折り畳み式電子機器に関し、折り畳み式電子機器の開操作を検出する操作検出手段１０ａと、前記開操作の検出時に外側の照度を計測する照度計測手段１０ｂと、を備える。より具体的な折り畳み式電子機器の筺体構成としては第１の筺体と第２の筺体等を開閉可能に連結して構成することができる。
【００１９】
以上の実施形態により、折り畳み式電子機器の開操作のタイミングでユーザーインターフェイス側の照度を計測できるから、折り畳み式電子機器が開いた状態で下向きや影等となる位置に照度センサーを配置しても、ユーザーインターフェイスの周囲の照度を正確に計測することができる。
【００２０】
（第２の実施形態）
本発明の第２の実施形態として、折り畳み式筺体の開動作を補助するオープンアシストボタンを備える折り畳み式携帯端末の例により説明する。
【００２１】
（構成の説明）
図２は本発明の第２の実施形態の閉状態の折り畳み式携帯端末の外観を示す図であり、図３は同開状態の折り畳み式携帯端末の外観を示す図である。
【００２２】
本実施形態の折り畳み式携帯端末１０は、図３に示すようにバックライト６を有するキーボタン等、キー操作部が配置されたユーザーインターフェイス７を備える下部筺体１と、液晶表示パネル等を備える上部筺体２と、前記下部筺体１及び上部筺体２を連結するヒンジ部３と、から構成され、更に、ヒンジ部３の端部に設けられ、押下することにより、下部筺体１と上部筺体２を開状態にするワンタッチオープン機能を起動するオープンアシストボタン４を備える。
【００２３】
つまり、本実施形態のヒンジ部３の内部には、閉状態の下部筺体１と上部筺体２を開状態に駆動するヒンジ軸の周りの発条などを内蔵しており、ユーザーによるオープンアシストボタン４の押下操作により、図３に示すように下部筺体１と上部筺体２を開状態とするワンタッチオープン機構を備えている。
【００２４】
また、本実施形態の照度センサー５は、図２に示すように折り畳み式携帯端末の下部筺体１のキー操作部の位置と同等の位置である上部筺体２の外側の位置、例えば上部筺体２の背面のヒンジ部３と反対側の端部側等に配置されている。
【００２５】
従って、折り畳み式携帯端末の閉状態でユーザーインターフェイス７の周囲環境と同様の位置の照度を測定可能である。但し、開状態では照度センサーが陰の位置となるからユーザーインターフェイス７の周囲に相当する照度を正確に測定することはできないことがある。
【００２６】
図４は本実施形態のバックライトの制御装置の構成を示す図である。折り畳み式携帯端末の開動作を補助するオープンアシストボタン４と、照度センサー５と、ユーザーインターフェイスのバックライト６と、制御部１１と、から構成される。各部の機能は以下のとおりである。
【００２７】
オープンアシストボタン４には、ユーザーのボタン押下操作を検出して、ユーザーが携帯端末を開状態へ移行させる動作を行ったという信号である検出信号を出力する検出手段を備える。照度センサー５は、周囲の照度を測定し、読み出し制御信号の入力により、測定した照度データを出力する機能を備える。
【００２８】
バックライト６は、点灯／非点灯又は点灯時の輝度を制御する制御信号により動作し、前記制御信号に応じて点灯／非点灯又は制御量に応じた輝度で点灯し、ユーザーインターフェイス７のキー等を照明する機能を備える。
【００２９】
制御部１１は、オープンアシストボタン４の検出手段から検出信号を入力すると、直ちに読み出し制御信号を照度センサー５に出力し、照度センサー５の照度データを読み出し、読み出した照度データに応じてバックライトの点灯／非点灯及び輝度を制御する制御信号をバックライト６に出力する。
【００３０】
例えば、制御部１１はオープンアシストボタン４の押下時に、折り畳み式携帯端末１０の下部筺体１と上部筺体２が開動作を開始する以前や開動作の開始時に、折り畳み式携帯端末１０の背面の明るい周囲環境で計測される照度データを読み出し、読み出した照度データに応じて、バックライト６の輝度等を制御し、周囲環境の明るさに応じて、ユーザーインターフェイスのバックライト６の点灯／非点灯を制御し又は最適な輝度に点灯する制御を行う。
【００３１】
（動作の説明）
次に本発明の第２の実施形態の動作を詳細に説明する。
【００３２】
図５は第２の実施形態の動作の処理フローチャートを示す図である。以下、図２〜５を参照して本実施形態の動作を説明する。
【００３３】
ユーザーが図２に示す閉状態の折り畳み式携帯端末１０を図３に示す開状態にして使用するため、オープンアシストボタン４を押し込む操作を行うと（Ｓ１）、オープンアシストボタン４の検出手段から携帯端末が開状態になる前に検出信号が制御部１１に伝達される（Ｓ２）。制御部１１は検出信号を受信すると照度センサー５から照度を読み出す制御信号を出力し、照度センサー５から折り畳み式携帯端末が開状態となる前（開操作の検出時）の照度データを読み出す（Ｓ３）。
【００３４】
次に、制御部１１は、読み出した照度データがバックライトを点灯するか否かを判定する閾値と比較し（Ｓ４）、照度データが閾値以上の場合にはバックライト６を点灯する（Ｓ５）。また、ステップＳ４で、照度データが閾値未満の場合にはバックライト６を非点灯とする（Ｓ６）。
【００３５】
なお、ステップＳ５では点灯するバックライト６の輝度を前記照度データの照度に応じて制御することができる。例えば、前記閾値より大きい複数の閾値を設け、照度データが何れの閾値の間の範囲に入っているかに応じて、バックライト６の輝度を周囲環境の明るさに逆比例的に点灯制御する。
【００３６】
以上のような制御部１１の制御により、折り畳み式携帯端末１０を使用する際、折り畳み式筺体の開状態となる前の照度センサーの周囲の明るさにより、バックライトの点灯／非点灯又は点灯の輝度が自動的に制御されるから、不要なバックライトの点灯や輝度による電力消費を抑制することが可能であるとともに、周辺環境の明るさに応じた最適なバックライトの輝度による照明が可能である。更に、折り畳み式筺体の開操作時にのみ照度測定を行う場合には、繰り返し照度測定を行うことが無いので、かかる点でも電力消費を抑制することが可能である。
【００３７】
（第３の実施形態）
以上の実施形態ではオープンアシストボタンの操作を検出することにより、折り畳み式携帯端末の閉状態から開状態への切り替え時に、開状態になる前のタイミングを検出して、照度測定を行う構成を示したが、オープンアシストボタンによらずに折り畳み式携帯端末の開状態の前のタイミングを検出することが可能である。
【００３８】
例えば、ユーザー操作による折り畳み式筺体の閉状態から開状態への操作を、下部筺体１と上部筺体２の移動距離、開閉角等により、携帯端末の開状態となる前のタイミングを検出するように構成することができる。
【００３９】
図６は本発明の第３の実施形態の折り畳み式携帯端末の構成例を示す図である。上部（下部）筺体端部の内部等に磁石９を装着し、下部（上部）筺体端部の内部等、対応する位置にホール素子等を用いた磁気センサー８を装着することにより、上下筺体の閉状態から開状態への初期変移を磁気センサー８のにより検出し、携帯端末の開状態となる前でタイミング信号を出力し、筺体背面の照度センサーの照度を計測するように構成したものである。
【００４０】
第３の実施形態の上下筺体の閉状態から開状態への初期変移の検出センサーとしては、磁気センサーに代えて、他の距離センサー等が使用可能であり、更に、機械的又は光学的なセンサー等が使用可能である。
【００４１】
図７は上下筺体の閉状態から開状態への初期変移の検出センサーとして距離センサーを使用した例である。開状態の上下筺体のそれぞれの内側に閉状態で対向するように表面に絶縁材料を有する導電パターン（電極）を設け、導電パターン間の静電容量の変化により上下筺体の距離を検出する距離センサーを設け、上下筺体の閉状態から開状態への初期変移を検出する。
【００４２】
図８は上下筺体の閉状態から開状態への初期変移の検出センサーとして機械的なセンサーを使用した例である。上下筺体の一方に該筺体内のスイッチを開閉する突起部等を備える機械的センサーを設け、上下筺体の開閉により前記突起部等を可動させて閉状態から開状態への初期変移を検出する。
【００４３】
図９は上下筺体の閉状態から開状態への初期変移の検出センサーとして機械的な角度センサーを使用した例である。折り畳み式携帯端末のヒンジ部のヒンジ軸に上下筺体の回転角度を検出できる角度センサーを設け、上下筺体の回転角度により閉状態から開状態への初期変移を検出する。
【００４４】
図１０は上下筺体の閉状態から開状態への初期変移の検出センサーとして光学的なセンサーを使用した例である。上下筺体の一方に光の有無を検出する光学的センサーを設け、上下筺体の開閉による光の有無により閉状態から開状態への初期変移を検出する。
【００４５】
（他の実施形態）
以上の実施形態ではユーザーインターフェイスのバックライトとしてキー操作部等のバックライトに関して説明したが、本発明は他のユーザーインターフェイスのバックライトの制御に適用可能である。例えば、携帯端末の表示部の液晶表示パネルのバックライトの制御や、キー操作部等のバックライトと液晶表示パネルの両者のバックライトの制御に適用可能であることは明らかである。
【００４６】
更に、以上の実施形態の処理は、ハードウェアにより実行させることが可能であるとともに、ソフトウェアにより実行させることが可能である。一連の処理をソフトウェアにより実行させる場合には、以上の実施形態の機能を実現するソフトウェアのプログラムコードを記憶した記憶部を携帯端末内に備え、携帯端末のコンピュータ（ＣＰＵ（Central Processing Unit））が前記プログラムコードを読み込んで以上の機能を実行するように構成する。
【００４７】
また、前記プログラムコードを記憶した記憶媒体を使用し、この記憶媒体からプログラムコードを読み出し、前記記憶部に格納することができる。この場合、前記記憶媒体から読み出されたプログラムコードが以上説明した各実施形態の機能を実現する。
【００４８】
図１１は本発明の折り畳み式電子機器の処理をプログラムにより実行する実施形態を示す図である。
【００４９】
折り畳み式電子機器１０は、バスにより相互に接続されたコンピュータを構成するＣＰＵ１０１、ＲＯＭ（Read Only Memory）、ＲＡＭ（Random Access Memory）等を含む記憶部１０２、入出力インターフェイス１０３、入出力インターフェイス１０３を介してＣＰＵ１０１と接続された、オープンアシストボタン１０４、照度センサー１０５及びバックライト１０６等を備える。
【００５０】
記憶部１０２には以上の実施形態の制御プログラムを含む各種プログラムが格納され、ＣＰＵ１０２は記憶部１０２のプログラムを読み込み、読み込んだプログラムにより制御され、入出力インターフェイス１０３から入力される折り畳み式電子機器１０が開く前のオープンアシストボタンの操作検出信号に応じて、照度センサー１０５の照度測定を制御し、測定された照度データに基づいて輝度等の制御信号を生成してバックライト１０６を制御する前述の処理を実行する。
【００５１】
以上のように本発明は、例えばユーザーインターフェイスを照らすバックライトの輝度を筺体背面等の照度センサーの測定値を利用して制御する折り畳み式電子機器において、ユーザーが電子機器の開動作を検出し、前記開動作時に照度を測定することで、ユーザーインターフェイスの周囲の照度を正確に計測するものである。
【００５２】
具体的には、オープンアシストボタン等を利用したワンタッチオープン機能など、折り畳み式電子機器の開閉を補助する機能を利用して、ユーザーが折り畳み式電子機器を開く直前等のタイミングを検出し、該タイミングで照度を測定するように制御することで、正確な照度を読み出すことを可能とする。
【００５３】
本発明によれば、折り畳み式電子機器を開く前又は開いている過程の状態で照度を読み出すことが可能となり、図３、１２に示すように開いた状態のユーザーインターフェイス側で照度測定を行うことと同等となるため、照度センサーが図３に示す位置に配置されていても、正確にユーザーインターフェイスの照度を測定できる。
【産業上の利用可能性】
【００５４】
本発明は携帯電話機や情報端末、ＰＣ(Personal Computer)、ゲーム機等、折り畳み式筺体等を備える電子機器に適用可能である。
【符号の説明】
【００５５】
１  下部筺体
２  上部筺体
３  ヒンジ部
４、１０４  オープンアシストボタン
５  照度センサー
６  バックライト
７  ユーザーインターフェイス
８  磁気センサー
９  永久磁石
１０  折り畳み式電子機器（携帯端末）
１０ａ  操作検出手段
１０ｂ  照度検出手段
１１  制御部
１０６  バックライト
１０１  ＣＰＵ（Central Processing Unit）
１０２  記憶部
１０３  入出力インターフェイス部
【図１】
2010171617.tif 000003
【図２】
2010171617.tif 000004
【図３】
2010171617.tif 000005
【図４】
2010171617.tif 000006
【図５】
2010171617.tif 000007
【図６】
2010171617.tif 000008
【図７】
2010171617.tif 000009
【図８】
2010171617.tif 000010
【図９】
2010171617.tif 000011
【図１０】
2010171617.tif 000012
【図１１】
2010171617.tif 000013
【図１２】
2010171617.tif 000014
【図１３】
2010171617.tif 000015
【図１４】
2010171617.tif 000016